(57)【要約】【課題】デザイン注文時にプリントの間違い防止や料金確認等が可能である。【解決手段】デザイン注文情報の入力とプリント注文情報の入力を連続して行ない、デザイン注文に基づきデザインを作成し、この作成されたデザインを確定する時に、プリント注文情報の確定を行ない、デザインに基づくプリントをプリント注文に基づき作成する。【選択図】図１
2005107879.tif 000002
【特許請求の範囲】
【請求項１】
ネットワークに接続され、デザイン注文及び前記デザインに基づくプリント注文を行なうユーザ端末と、
前記ネットワークに接続され、前記デザイン注文及び前記プリント注文の受付管理を行なう受発注サーバと、
を有するプリント注文システムであり、
前記ユーザ端末によりデザイン注文情報の入力とプリント注文情報の入力を連続して行ない、前記デザイン注文に基づいて作成されたデザインを確定する時に、前記プリント注文情報の確定を行なうことを特徴とするプリント注文システム。
【請求項２】
前記デザインを確定する時に、前記プリント注文情報を変更可能であることを特徴とする請求項１に記載のプリント注文システム。
【請求項３】
デザイン注文に基づきデザインを作成し、このデザインに基づくプリントをプリント注文に基づき作成するプリント注文方法であり、
前記デザイン注文情報の入力とプリント注文情報の入力を連続して行ない、
前記作成されたデザインを確定する時に、前記プリント注文情報の確定を行なうことを特徴とするプリント注文方法。
【請求項４】
前記デザインを確定する時に、前記プリント注文情報を変更可能であることを特徴とする請求項３に記載のプリント注文方法。
【発明の詳細な説明】
【技術分野】
【０００１】
この発明は、例えばネットワークを利用したポストカード等の注文に用いるプリント注文システム及びプリント注文方法に関する。
【背景技術】
【０００２】
従来より、例えばポストカードなどの作成では、まずユーザのデザイン注文に基づいて作業者が文字や画像等の合成を行なってデザインを作成し、このデザインの仕上がりを確認してプリント注文を行なっている（例えば、特許文献１，２）。
【特許文献１】特開２００１−３４４３１３号公報
【特許文献２】特開２００３−８８７２号公報
【発明の開示】
【発明が解決しようとする課題】
【０００３】
このように、ポストカードなどがデザインに基づいてプリントで作成されるような場合に、デザイン注文とプリント注文が同時に行なわれないために、ユーザはデザイン注文時に後で発生するプリントの料金や仕上がり日時等がわからない。このために、例えばポストカードなどの予算か決まっている場合には、プリントの枚数を少なくしたり、仕上がり日時が遅くなる場合にはポストカードを投函する日程を急に変更しなければならないことがある。
【０００４】
また、ポストカードなどを生産する生産者は、デザイン注文があっても、このデザインに基づくプリントの枚数や種類がわからないために、前もって材料や人員などの手配が付かない等の問題がある。
【０００５】
この発明は、かかる点に鑑みてなされたもので、デザイン注文時にプリントの間違い防止や料金確認等が可能であるプリント注文システム及びプリント注文方法を提供することを目的としている。
【課題を解決するための手段】
【０００６】
前記課題を解決し、かつ目的を達成するために、この発明は、以下のように構成した。
【０００７】
請求項１に記載の発明は、ネットワークに接続され、デザイン注文及び前記デザインに基づくプリント注文を行なうユーザ端末と、
前記ネットワークに接続され、前記デザイン注文及び前記プリント注文の受付管理を行なう受発注サーバと、
を有するプリント注文システムであり、
前記ユーザ端末によりデザイン注文情報の入力とプリント注文情報の入力を連続して行ない、前記デザイン注文に基づいて作成されたデザインを確定する時に、前記プリント注文情報の確定を行なうことを特徴とするプリント注文システムである。
【０００８】
請求項２に記載の発明は、前記デザインを確定する時に、前記プリント注文情報を変更可能であることを特徴とする請求項１に記載のプリント注文システムである。
【０００９】
請求項３に記載の発明は、デザイン注文に基づきデザインを作成し、このデザインに基づくプリントをプリント注文に基づき作成するプリント注文方法であり、
前記デザイン注文情報の入力とプリント注文情報の入力を連続して行ない、
前記作成されたデザインを確定する時に、前記プリント注文情報の確定を行なうことを特徴とするプリント注文方法である。
【００１０】
請求項４に記載の発明は、前記デザインを確定する時に、前記プリント注文情報を変更可能であることを特徴とする請求項３に記載のプリント注文方法である。
【発明の効果】
【００１１】
前記構成により、この発明は、以下のような効果を有する。
【００１２】
請求項１に記載の発明では、ユーザ端末によりデザイン注文情報の入力とプリント注文情報の入力を連続して行ない、デザイン注文に基づいて作成されたデザインを確定する時に、プリント注文情報の確定を行なうことで、ユーザはデザイン注文時に後で発生するプリントの料金や仕上がり日時等がわかり、デザイン注文時にプリントの間違い防止や料金確認等が可能である。また、例えばポストカードなどを生産する生産者は、デザイン注文時に、デザインに基づくプリントの枚数や種類がわかるために、前もって材料や人員などの手配できる生産効率が向上する。
【００１３】
請求項２に記載の発明では、デザインを確定する時に、プリント注文情報を変更可能であり、例えばプリントの種類や枚数を実際の使用状況に応じて対応することができる。また、プリント注文情報を変更しない場合には、デザインを確定する時のプリント注文情報で確定される。
【００１４】
請求項３に記載の発明では、デザイン注文情報の入力とプリント注文情報の入力を連続して行ない、作成されたデザインを確定する時に、プリント注文情報の確定を行なうことで、ユーザはデザイン注文時に後で発生するプリントの料金や仕上がり日時等がわかり、デザイン注文時にプリントの間違い防止や料金確認等が可能である。また、例えばポストカードなどを生産する生産者は、デザイン注文時に、デザインに基づくプリントの枚数や種類がわかるために、前もって材料や人員などの手配ができ、生産効率が向上する。
【００１５】
請求項４に記載の発明は、デザインを確定する時に、プリント注文情報を変更可能であり、例えばプリントの種類や枚数を実際の使用状況に応じて対応することができる。また、プリント注文情報を変更しない場合には、デザインを確定する時のプリント注文情報で確定される。
【発明を実施するための最良の形態】
【００１６】
以下、この発明のプリント注文システム及びプリント注文方法の実施の形態について説明するが、この発明は、この実施の形態に限定されない。また、この発明の実施の形態は、発明の最も好ましい形態を示すものであり、この発明の用語はこれに限定されない。
【００１７】
図１はプリント注文システム及びプリント注文方法を示す図である。図１において、ネットワーク１に、受発注サーバ２、ユーザ端末３、作業者端末４、プリント端末５が接続され、それぞれネットワーク１を介して通信可能となっている。
【００１８】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００１９】
受発注サーバ２は、ネットワーク１を介し、デザイン注文の受付、デザイン注文に基づきデザイン作成作業の発注及び受発注管理を行なうと共に、デザインに用いる画像閲覧、画像保管、顧客情報管理など、ネットワーク画像サービスを提供可能な機能を有する。
【００２０】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。デジタルカメラを備える携帯電話では、デジタルカメラの撮像で画像の取り込みを行なうことができ、デジタルカメラを備えない携帯電話では、他の電子機器からの通信により画像を受信して画像の取り込みを行なうことができる。
【００２１】
このユーザ端末３では、デザイン決定情報を入力し、デザインに用いる画像を配信してデザイン注文情報の入力とプリント注文情報の入力を連続して行なう。このデザイン注文及びプリント注文を、図２乃至図２１に示す。
【００２２】
プリント端末５は、例えばラボ等に配置され、受発注サーバ２を介してプリント注文の受付、プリント作成作業の管理などを行うことができ、プリンタ等出力装置と接続され、ユーザ端末３にて入力されたプリント注文情報に基づきプリントすることができる。
【００２３】
作業者端末４は、受発注サーバ２を介してデザイン注文の受付を行い、画像編集画面上で、デザイン注文情報に基づきデザイン作成作業を行うものであり、画像の切り抜き、色情報の補正、文字情報の入力、レイアウト、不要物の削除などの作業を行うことができる。また、作成されたデザインは作業者端末４から受発注サーバ２へ送信することができる。
【００２４】
この実施の形態では、ユーザ端末３によりデザイン注文情報の入力とプリント注文情報の入力を連続して行ない、デザイン注文に基づいて作成されたデザインを確定する時に、プリント注文情報の確定を行なう。このように、ユーザはデザイン注文時に後で発生するプリントの料金や仕上がり日時等がわかり、デザイン注文時にプリントの間違い防止や料金確認等が可能である。また、例えばポストカードなどを生産する生産者は、デザイン注文時に、デザインに基づくプリントの枚数や種類がわかるために、前もって材料や人員などの手配ができ、生産効率が向上する。
【００２５】
なお、デザイン注文情報の入力とプリント注文情報の入力は、連続であれば順序はどのようでもよく、デザイン注文情報の入力が先でもよければ、プリント注文情報の入力が先でもよいし、同時に入力させるようにしてもよい。また、デザイン注文情報の入力とプリント注文情報の入力の間に一連性を損なわない範囲で別の動作を挟んでもよい。
【００２６】
また、ここでいうプリント注文情報の確定とは、入力された注文情報がユーザ端末からは変更できない状態になることを表し、プリント注文情報が受発注サーバ２からプリント端末５へプリント注文情報が送信されるか、または受発注サーバ２からプリント端末５へ、予めプリント端末に送信されたプリント注文情報を確定するプリント注文確定情報が送信される。
【００２７】
また、デザインを確定する時に、プリント注文情報を変更可能であり、例えばプリントの種類や枚数を実際の使用状況に応じて対応することができる。また、プリント注文情報を変更しない場合には、デザイン注文情報を入力した時に入力したプリント注文情報で確定される。
【００２８】
このデザイン注文情報の入力では、予め記憶された少なくとも入力情報によって変更されるテンプレート情報を有するデザインテンプレートを選択する。デザインテンプレートは、受発注サーバ２に予めカテゴリ（結婚、誕生、転居）毎に用意されている。ユーザ端末３のキーボード等の情報入力手段３ａによりデザインテンプレートに表示される情報を入力し、受発注サーバ２の情報加工手段２ａが入力情報をテンプレート情報に応じて加工し、デザイン注文を行なう。
【００２９】
情報加工手段２ａは、入力された言語を他の言語に変換する加工を行なう。例えばユーザが日本語で入力を行うと英語に間違いなく変換することができ、作業性も向上する。また、入力された情報から関連する情報に変換する加工を行なう。例えばユーザの生年月日を入力すると、星座や年齢や干支等に間違いなく変換することができ、作業性も向上する。
【００３０】
次に、ユーザ端末３を用いて行なうデザイン注文のフローと、デザイン確認及びプリント注文のフローを図２に示し、この注文を行なうユーザ端末３の画面を図３乃至図２１に示す。
【００３１】
なお、図２で示されるデザイン注文のフローとデザイン確認及びプリント注文のフローは、あくまでもこの発明の１形態であり、各ステップの順序が前後されてもよいし、各ステップの間に別のステップが挿入されていてもよい。また、図３乃至図２１で示される画面は、あくまでもこの発明の１形態であり、各画面で表示されるボタンや項目内容についてはこれらに限定されない。
【００３２】
まず、デザイン注文のフローを図２（ａ）に示す。
［ステップａ１］
まず、デザイン注文時には、年賀、結婚、誕生、転居等からカテゴリの選択を行なう。図３は年賀のカテゴリを選択したデザイン選択画面２０を示す。このように年賀、結婚、誕生、転居等のカテゴリ毎に予め複数のデザインテンプレート２０ａが用意されている。
［ステップａ２］
図３の年賀のカテゴリを選択したデザイン選択画面２０には、複数のデザインテンプレートが表示されており、この複数のデザインテンプレートの内からいずれか希望するデザインテンプレート２０ａを選択する。この選択されたデザインテンプレート２０ａを図４に示し、デザインテンプレート２０ａは、入力情報によって変更されるテンプレート情報２０ａ１〜２０ａ５と画像２０ａ６とを有する。テンプレート情報２０ａ１は、星座、テンプレート情報２０ａ２は、赤ちゃんの身長、テンプレート情報２０ａ３は、赤ちゃんの体重、テンプレート情報２０ａ４は、赤ちゃんの名前（ローマ字）、テンプレート情報２０ａ５は、赤ちゃんの誕生日であり、それぞれ英語でデザインされる。
［ステップａ３］
図５の注文情報入力画面２１において、選択されたデザインテンプレートに入れるデザイン注文情報を入力する。デザイン注文情報は、カラー２１ａ、タイトルフォント２１ｂ、オリジナルコメント２１ｃ、デザイン面に記載する個人情報２１ｄである。デザイン面に記載する個人情報２１ｄには、差出人情報２１ｄ１、その他の情報２１ｄ２、必須項目２１ｄ３がある。必須項目２１ｄ３には、赤ちゃんの名前（ローマ字）、赤ちゃんの身長、赤ちゃんの体重、星座、赤ちゃんの誕生日があり、これらは日本語で入力される。
【００３３】
星座の入力は、図６（ａ）に示すように、星座をクリックすると星座の一覧が表示され、生まれた日を選択すると該当する星座が入力される。また、赤ちゃんの誕生日の入力は、図６（ｂ）に示すように、誕生日の生年月日をクリックして表示し、該当する生年月日を選択して入力する。  
【００３４】
必須項目２１ｄ３の日本語入力した赤ちゃんの名前（ローマ字）、赤ちゃんの身長、赤ちゃんの体重、星座、赤ちゃんの誕生日がデザインテンプレートのデザイン面の英語に変換される。
［ステップａ４］
図７の画像のアップロード画面２２において、選択されたデザインテンプレートの画像２０ａ６に入力される画像２２ａをアップロードする。この画像２２ａのアップロードは、所定のファイル形式で行ない、アップロードしない場合、写真郵送で申し込みを行なうこともできる。
［ステップａ５］
図８のデザイン内容確認画面２３において、デザイン２３ａ、選択画像２３ｂ、印字内容２３ｃを表示することで、デザイン注文の確認を行なう。
［ステップａ６］
図９のクレジットカード情報入力画面２４において、デザイン料金２４ａ、デザイン完成予定日２４ｂの表示で確認し、クレジットカード情報２４ｃを入力する。デザイン料金の支払いは、クレジットカードで行なうようになっている。
［ステップａ７］
図１０のはがき種類・枚数入力画面２５において、はがき種類２５ａ、枚数２５ｂを入力し、このはがき種類・枚数入力によって料金２５ｃが表示される。
［ステップａ８］
図１１のプリント注文料金確認画面２６において、プリント料金一覧２６ａを表示し、プリント注文料金を確認する。
［ステップａ９］
図１２の受取・支払い方法選択画面２７において、受取方法２７ａ、支払い方法２７ｂを選択する。受取方法２７ａには、店頭と配送があり、支払い方法２７ｂには、店舗支払いとクレジットカードがある。
［ステップａ１０］
受取方法２７ａで店頭が選択されると、図１３の店頭選択画面２８において、写真屋２８ａ、コンビニ等２８ｂから最寄りの取扱店を選択する。
［ステップａ１１］
受取方法２７ａで配送が選択されると、図１４の送付先・クレジットカード情報入力画面２９において、送付先２９ａ、クレジットカード情報２９ｂを入力する。
［ステップａ１２］
店舗選択または送付先・クレジットカード情報入力が行なわれると、図１５のプリント注文最終確認画面３０において、デザイン３０ａ、選択画像３０ｂ、印字内容３０ｃ、デザイン料金３０ｄ、デザイン完成予定日３０ｅ、プリント料金３０ｆ（受取方法、支払方法、送付先、お渡し予定日）、料金一覧３０ｇが表示され、これによりプリント注文の最終確認を行なう。
［ステップａ１３］
図１６のデザイン注文完了画面３１において、ＯＫボタン３１ａをクリックするデザイン注文番号を表示してデザイン注文が終了する。
【００３５】
次に、デザイン確認及びプリント注文のフローを図２（ｂ）に示す。
［ステップｂ１］
図１７のデザイン注文情報画面４０において、最新の完成画像４０ａ、選択されたデザインテンプレート４０ｂ、メッセージ４０ｃ、デザイン面に記載する個人情報４０ｄ、使用する画像４０ｅ等の確認を行なう。
【００３６】
このデザイン注文情報画面４０には、注文承認ボタン４０ｆ、修正画面ボタン４０ｈが設けられている。作成されたデザインに問題がある場合には、修正画面ボタン４０ｈをクリックしてステップｂ２へ移行する。注文承認ボタン４０ｆをクリックすると、デザインが承認され、図１８のプリント注文最終確認画面４１を開く。
［ステップｂ２］
修正画面ボタン４０ｈをクリックすると、図示しない修正画面が開き、デザイン修正情報を入力する。
［ステップｂ３］
図１８のプリント注文最終確認画面４１において、プリント注文情報を変更可能な注文変更ボタン４１ａが設けられ、この注文変更ボタン４１ａをクリックすると、図１９のはがき種類・枚数入力画面４２を開く。
［ステップｂ４］
図１９のはがき種類・枚数入力画面４２において、はがき種類４２ａと枚数４２ｂを入力して変更し、次へボタン４２ｃをクリックすると、図２０のプリント注文料金確認画面４３が開く。
［ステップｂ５］
図２０のプリント注文料金確認画面４３において、はがき種類、枚数を確認し、問題がないと次へボタン４３ａをクリックすると、図２１の受取・支払い方法選択画面４４が開く。
［ステップｂ６］
図２１の受取・支払い方法選択画面４４において、受取方法４４ａと支払い方法４４ｂの選択を行なう。
［ステップｂ７］
受取方法４４ａで店頭受取が選択されると、図１３の店頭選択画面２８が開き、写真屋またはコンビニ等の選択が行なわれる。
［ステップｂ８］
受取方法４４ａで配送が選択されると、図１４の送付先・クレジットカード情報入力画面２９が開き、送付先・クレジットカード情報を入力する。そして、次へボタン４４ｃをクリックすると、ステップｂ３へ移行し、図１８のプリント注文最終確認画面４１を開く。
［ステップｂ９］
図１８のプリント注文最終確認画面４１において、注文ボタン４１ｂをクリックするとプリント注文番号を表示してプリント注文を終了する。
【産業上の利用可能性】
【００３７】
デザイン注文に基づきデザインを作成し、このデザインに基づくプリントを作成するプリント注文し、例えばポストカード等のプリントを作成する注文に用いることができる。
【図面の簡単な説明】
【００３８】
【図１】プリント注文システム及びプリント注文方法を示す図である。
【図２】デザイン注文のフローと、デザイン確認及びプリント注文のフローである。
【図３】年賀のカテゴリを選択したデザイン選択画面を示す図である。
【図４】選択されたデザインテンプレートを示す図である。
【図５】注文情報入力画面を示す図である。
【図６】星座と誕生日の生年月日の入力を示す図である。
【図７】画像のアップロード画面を示す図である。
【図８】デザイン内容確認画面を示す図である。
【図９】クレジットカード情報入力画面を示す図である。
【図１０】はがき種類・枚数入力画面を示す図である。
【図１１】プリント注文料金確認画面を示す図である。
【図１２】受取・支払い方法選択画面を示す図である。
【図１３】店頭選択画面を示す図である。
【図１４】送付先・クレジットカード情報入力画面を示す図である。
【図１５】プリント注文最終確認画面を示す図である。
【図１６】デザイン注文完了画面を示す図である。
【図１７】デザイン注文情報画面を示す図である。
【図１８】リント注文最終確認画面を示す図である。
【図１９】はがき種類・枚数入力画面を示す図である。
【図２０】プリント注文料金確認画面を示す図である。
【図２１】受取・支払い方法選択画面を示す図である。
【符号の説明】
【００３９】
１  ネットワーク
２  受発注サーバ
３  ユーザ端末
４  作業者端末
５  プリント端末
２０  デザイン選択画面
２０ａ  デザインテンプレート
２１  注文情報入力画面
２２  画像のアップロード画面
２３  デザイン内容確認画面
２４  クレジットカード情報入力画面  
２５  はがき種類・枚数入力画面
２６  プリント注文料金確認画面
２７  受取・支払い方法選択画面
２８  店頭選択画面
２９  送付先・クレジットカード情報入力画面
３０  プリント注文最終確認画面
３１  デザイン注文完了画面
４０  デザイン注文情報画面
４１  プリント注文最終確認画面
４２  はがき種類・枚数入力画面
４３  プリント注文料金確認画面
４４  受取・支払い方法選択画面
【図１】
2005107879.tif 000003
【図２】
2005107879.tif 000004
【図３】
2005107879.tif 000005
【図４】
2005107879.tif 000006
【図５】
2005107879.tif 000007
【図６】
2005107879.tif 000008
【図７】
2005107879.tif 000009
【図８】
2005107879.tif 000010
【図９】
2005107879.tif 000011
【図１０】
2005107879.tif 000012
【図１１】
2005107879.tif 000013
【図１２】
2005107879.tif 000014
【図１３】
2005107879.tif 000015
【図１４】
2005107879.tif 000016
【図１５】
2005107879.tif 000017
【図１６】
2005107879.tif 000018
【図１７】
2005107879.tif 000019
【図１８】
2005107879.tif 000020
【図１９】
2005107879.tif 000021
【図２０】
2005107879.tif 000022
【図２１】
2005107879.tif 000023